(57)【要約】【課題】境界表示柵の構築や撤去が容易かつ迅速にでき、運搬或いは保管時の取り扱いが簡便な境界表示柵用支柱及び境界表示柵の提供。【解決手段】本発明の境界表示柵用支柱は、設置面に安定載置可能な支柱本体と、当該支柱本体に一端が固定され他端が当該支柱本体から離れた他所に延在可能なテープとを備えたことを特徴とする。又、本発明の境界表示柵は、上記の境界表示柵用支柱を適宜列状に配置し、順次、一の境界表示柵用支柱から延在されたテープの端の頭部キャップを、頭部キャップが外された隣の境界表示柵用支柱の頭部に嵌めることによって、テープで一連に連結された複数の境界表示柵用支柱で構築されることを特徴とする。【選択図】図１
2009024432.tif 000002
【特許請求の範囲】
【請求項１】
設置面に安定載置可能な支柱本体と、当該支柱本体に一端が連結され他端が当該支柱本体から離れた他所に延在可能な帯状体とを備えたことを特徴とする境界表示柵用支柱。
【請求項２】
帯状体はテープであることを特徴とする請求項１に記載の境界表示柵用支柱。
【請求項３】
他所は別の境界表示柵用支柱であることを特徴とする請求項１又は請求項２に記載の境界表示柵用支柱。
【請求項４】
境界表示柵用支柱は、複数の境界表示柵用支柱が着脱自在に重ね置き可能な支柱であることを特徴とする請求項１乃至請求項３の何れかに記載の境界表示柵用支柱。
【請求項５】
帯状体は、支柱本体の頭部に当該支柱本体の外から巻き付けられて当該支柱本体に維持されることを特徴とする請求項１乃至請求項４の何れかに記載の境界表示柵用支柱。
【請求項６】
帯状体が巻き付けられる支柱本体の帯状体の被巻き付け部分は、巻き付けられる帯状体の量に応じて当該支柱本体の外形形状が窪まされた凹部であることを特徴とする請求項１乃至請求項５の何れかに記載の境界表示柵用支柱。
【請求項７】
凹部は、支柱本体の頭部に形成され、帯状体が巻き付けられた状態で当該頭部に着脱自在に被せられる頭部キャプで覆われることを特徴とする請求項１乃至請求項６の何れかに記載の境界表示柵用支柱。
【請求項８】
頭部キャップには帯状体の他端が連結されることを特徴とする請求項７に記載の境界表示柵用支柱。
【請求項９】
頭部キャップには、当該頭部キャップの内外方向に帯状体を通すスリットが設けられたことを特徴とする請求項７又は請求項８に記載の境界表示柵用支柱。
【請求項１０】
スリットは、頭部キャップの開口縁側から切り込まれて形成されたスリットであり、当該頭部キャップに他端が連結された自帯状体を当該当該頭部キャップの内外方向に貫通させる自帯状体用スリットと、他の支柱本体に一端が連結された他帯状体を当該頭部キャップの内外に貫通させる他帯状体用スリットとの２つのスリットが設けられたことを特徴とする請求項９に記載の境界表示柵用支柱。
【請求項１１】
境界表示柵用支柱は、当該支柱本体の帯状体他端が連結された頭部キャップが当該支柱本体に被せられた状態において、複数の境界表示柵用支柱が少なくとも互いの支柱の一部において着脱自在に嵌合して重ね置き可能に成形されたことを特徴とする請求項７乃至請求項１０の何れかに記載の境界表示柵用支柱。
【請求項１２】
境界表示柵用支柱はコーン型の樹脂成形品であることを特徴とする請求項１乃至請求項１１の何れかに記載の境界表示柵用支柱
【請求項１３】
帯状体はテープであって、一面に黒色、他面に黄色が施されたことを特徴とする請求項１乃至請求項１２の何れかに記載の境界表示柵用支柱。
【請求項１４】
請求項１乃至請求項６、請求項１２又は請求項１３の何れかに記載の１本の境界表示柵用支柱が要所に載置され、載置された前記境界表示柵用支柱から延在させた帯状体の端を他所の適所に連結させ１本の境界表示柵用支柱で構築されることを特徴とする境界表示柵。
【請求項１５】
請求項７乃至請求項１３の何れかに記載の複数の境界表示柵用支柱を適宜列状に配置し、順次、一の境界表示柵用支柱から延在された帯状体の端の頭部キャップを、頭部キャップが外された隣の境界表示柵用支柱の頭部に嵌めることによって、帯状体で一連に連結された複数の境界表示柵用支柱で構築されることを特徴とする境界表示柵。
【請求項１６】
帯状体は縒りを入れられた状態で延在されることを特徴とする請求項１４又は請求項１５に記載の境界表示柵。
【請求項１７】
境界表示用支柱は、着脱自在に重ね置きできるよう底部が開放された中空の錐体形状をした支柱であることを特徴とする請求項１乃至請求項１６の何れかに記載の境界表示柵。
【発明の詳細な説明】
【技術分野】
【０００１】
本発明は、例えば、工事現場の安全を図るため安全領域の境界を表示する際に用いる撤去自在の簡易な境界表示柵に関するもので、詳しくは、境界表示柵用支柱とその支柱で構築される境界表示柵とに関する。
【背景技術】
【０００２】
従来、この種の境界表示柵としては、樹脂製支柱を適当間隔に並べ、各支柱本体間に所定長さの棒材、例えばパイプ材を掛け渡して構築する構成であったため、支柱本体間の間隔は掛け渡される棒材長さで制約されていた。
【０００３】
このため、例えば、境界線が折れ曲がる箇所や、複雑な曲線となる箇所では、棒材が所定長さであることが邪魔となって、折れ曲がりや曲線に沿ったライン上に適切に境界表示柵を構築することができなかった。
勿論、直線であっても、構築すべき実際のラインの長さと掛け渡される棒材の長さとが一致する方が希であるため、多くの場合、何れか一方が長短過不足のままで柵を構築せざるを得なかった。
【０００４】
又、従来の境界表示柵は、支柱の外に、上記棒材が必要となる上、その棒材は、上記のような、折れ曲がりや曲線に相応する境界表示柵の構築を可能とするためには、所定長さの異なる複数種類の棒材をも予め用意しておく必要がある。例えば、道路補修工事現場の如く境界線が長くなる場合等は、その長さに応じた数の棒材を必要とする上、この棒材はコンパクト化することができないため搬送コストが嵩んでもいた。
【０００５】
又、このように必要資材の種類が多くなると、これら多種多様の資材を用いての柵の構築や撤去時の作業が煩雑となるばかりか、運搬或いは保管時での取り扱いの不便さ等も重なり、多くの不都合があった。
【発明の開示】
【発明が解決しようとする課題】
【０００６】
本発明は、上記のような課題の解決を目的とし、境界表示柵の構築や撤去が容易かつ迅速にでき、運搬或いは保管時の取り扱いが簡便で、運搬コストも安い境界表示柵用支柱及び境界表示柵の提供を目的とする。
【課題を解決するための手段】
【０００７】
請求項１の境界表示柵用支柱の発明は、設置面に安定載置可能な支柱本体と、当該支柱本体に一端が連結され他端が当該支柱本体から離れた他所に延在可能な帯状体とを備えたことを特徴とする。
【０００８】
請求項２の発明は、請求項１に記載の境界表示柵用支柱において、帯状体はテープであることを特徴とする。
【０００９】
請求項３の発明は、請求項１又は請求項２に記載の境界表示柵用支柱において、他所は別の境界表示柵用支柱であることを特徴とする。
【００１０】
請求項４の発明は、請求項１乃至請求項３の何れかに記載の境界表示柵用支柱において、境界表示柵用支柱は複数の境界表示柵用支柱が着脱自在に重ね置き可能な支柱であることを特徴とする。
【００１１】
請求項５の発明は、請求項１乃至請求項４の何れかに記載の境界表示柵用支柱において、帯状体は支柱本体の頭部に当該支柱本体の外から巻き付けられて当該支柱本体に維持されることを特徴とする。
【００１２】
請求項６の発明は、請求項１乃至請求項５の何れかに記載の境界表示柵用支柱において、帯状体が巻き付けられる支柱本体の帯状体の被巻き付け部分は巻き付けられる帯状体の量に応じて当該支柱本体の外形形状が窪まされた凹部であることを特徴とする。
【００１３】
請求項７の発明は、請求項１乃至請求項６の何れかに記載の境界表示柵用支柱において、凹部は支柱本体の頭部に形成され帯状体が巻き付けられた状態で当該頭部に着脱自在に被せられる頭部キャプで覆われることを特徴とする。
【００１４】
請求項８の発明は、請求項７に記載の境界表示柵用支柱において、頭部キャップには帯状体の他端が連結されることを特徴とする。
【００１５】
請求項９の発明は、請求項７又は請求項８に記載の境界表示柵用支柱において、頭部キャップには当該頭部キャップの内外方向に帯状体を通すスリットが設けられたことを特徴とする。
【００１６】
請求項１０の発明は、請求項９に記載の境界表示柵用支柱において、スリットは、頭部キャップの開口縁側から切り込まれて形成されたスリットであり、当該頭部キャップに他端が連結された自帯状体を当該当該頭部キャップの内外方向に貫通させる自帯状体用スリットと、他の支柱本体に一端が連結された他帯状体を当該頭部キャップの内外に貫通させる他帯状体用スリットとの２つのスリットが設けられたことを特徴とする。
【００１７】
請求項１１の発明は、請求項７乃至請求項１０の何れかに記載の境界表示柵用支柱において、境界表示柵用支柱は、当該支柱本体の帯状体他端が連結された頭部キャップが当該支柱本体に被せられた状態において、複数の境界表示柵用支柱が少なくとも互いの支柱の一部において着脱自在に嵌合して重ね置き可能に成形されたことを特徴とする。
【００１８】
請求項１２の発明は、請求項１乃至請求項１１の何れかに記載の境界表示柵用支柱において、境界表示柵用支柱はコーン型の樹脂成形品であることを特徴とする
【００１９】
請求項１３の発明は、請求項１乃至請求項１２の何れかに記載の境界表示柵用支柱において、帯状体はテープであって、一面に黒色、他面に黄色が施されたことを特徴とする。
【００２０】
請求項１４の境界表示柵の発明は、請求項１乃至請求項６、請求項１２又は請求項１３の何れかに記載の１本の境界表示柵用支柱が要所に載置され、載置された前記境界表示柵用支柱から延在させた帯状体の端を他所の適所に連結させ１本の境界表示柵用支柱で構築されることを特徴とする。
【００２１】
請求項１５の境界表示柵の発明は、請求項７乃至請求項１３の何れかに記載の複数の境界表示柵用支柱を適宜列状に配置し、順次、一の境界表示柵用支柱から延在された帯状体の端の頭部キャップを、頭部キャップが外された隣の境界表示柵用支柱の頭部に嵌めることによって、帯状体で一連に連結された複数の境界表示柵用支柱で構築されることを特徴とする。
【００２２】
請求項１６の発明は、請求項１４又は請求項１５に記載の境界表示柵において、帯状体は縒りを入れられた状態で延在されることを特徴とする。
【００２３】
請求項１７の発明は、請求項１乃至請求項１６の何れかに記載の境界表示柵において、境界表示用支柱は着脱自在に重ね置きできるよう底部が開放された中空の錐体形状をした支柱であることを特徴とする。
【発明の効果】
【００２４】
請求項１乃至請求項１７の各発明によれば、何れも、従来必要であった支柱間に掛け渡される棒材が無用となるので、境界表示柵の構築や撤去が容易かつ迅速にでき、運搬或いは保管時の取り扱いが簡便で運搬コストも安い境界表示柵用支柱や境界表示柵を提供することができる。
【００２５】
請求項３の発明によれば、請求項１や請求項２に記載の複数の境界表示柵用支柱を用いて境界表示柵を手軽に構築することができ、又容易に撤去することができる。
【００２６】
請求項４の発明によれば、境界表示柵を構築するための資材は境界表示柵用支柱のみで足り、かつその支柱は重ね置きすることができるので、運搬や保管が簡便にできる。
【００２７】
請求項５の発明によれば、支柱間に掛け渡されていた棒材がテープ等の帯状体とされたので、一の支柱から帯状体を引き出して次の支柱に係止する作業を順次支柱間で繰返し、帯状体を支柱間に連結して柵を構築することができるので、柵の構築や撤去を容易かつ迅速に行うことができる。
【００２８】
請求項６の発明によれば、帯状体は支柱の外形形状から外に突出することなく凹部に収められて維持されるので、帯状体の存在が作業の邪魔にならないし、帯状体の滑り落ちをも防止することができる。
【００２９】
請求項７や請求項１１の発明によれば、何れも、支柱に巻き付けられた帯状体は頭部キャップで覆われるので、帯状体付の支柱であっても従来の単体の支柱と同様に扱えるので、運搬や保管に便だけでなく、柵構築作業中であっても巻き付けられた帯状体が邪魔とならない。
【００３０】
請求項８の発明によれば、巻き付けられる帯状体の自由端側に頭部キャップが連結されているので、帯状体を支柱に巻き付け終わる段階で頭部キャップを当該支柱の頭部に嵌合させるだけで、帯状体の自由端側を当該支柱に係止させるという必要な始末を容易につけることができる。
【００３１】
又、請求項８の発明によれば、巻き付けられる帯状体の自由端側を引き出して延在させるに当り、当該支柱の頭部キャップを掴んで帯状体を引き出せるので、作業用手袋を嵌めたままで、本来なら容易には扱い難い帯状体を比較的自由に操作することができる。
【００３２】
更に、請求項８の発明によれば、引き出された帯状体の自由端側は当該頭部キャップを他の支柱の頭部に重ねて被せ、嵌め込むことによって、自由端側を他所へ係止させるという必要な始末を容易にすることができる。
【００３３】
請求項９や請求項１０の発明によれば、何れも、例えばテープ等の帯状体を緊張させた状態にして、片手の頭部キャップの操作にて、当該頭部キャップのスリットに帯状体を通すことができるので、帯状体の存在にも拘らず、容易に頭部キャップを支柱の頭部に被せて、嵌め込むことができる。
【００３４】
請求項１３の発明によれば、支柱間に張り巡らされた帯状体に適度な縒りを持たせることによって、黒と黄との注意喚起の縞模様を帯状体に表現させることができる。
【００３５】
請求項１４の発明によれば、１本の支柱でも帯状体の長さの及ぶ限りの範囲で、境界表示柵を構築することができる。
【００３６】
請求項１５の発明によれば、所要本数の境界表示柵用支柱を用意するだけで、各支柱の帯状体の長さの及ぶ限りの範囲で、互いの支柱の配置や配列の間隔を、現場の状況に即応じて自由に調整することができるので、折れ曲がりや曲線に相応する境界表示柵の構築を、従来に較べて、極めて容易且つ迅速に構築することができ、且つ、極めて容易且つ迅速に撤去することができる。
【００３７】
請求項１６の発明によれば、帯状体として反射面が表裏に施されたテープを用いることにより、支柱間に存在する帯状体の存在を際立たせることができる。
又、一方の反射面を黒、他方の一方の反射面を黄とすることによって、黒と黄の縞模様がテープの揺れに応じてテープの張設方向に行きつ戻りつさせることができ、危険表示を一層鮮明化させることもできる。
【００３８】
請求項１１や請求項１７の発明によれば、複数の境界表示柵用支柱を着脱自在に重ね置きできるので、収納が小スペースで済み運搬コストや保管コストを低減できる。
【発明を実施するための最良の形態】
【００３９】
以下、本発明の最良の実施形態としての実施例を、図１乃至図５に基づいて説明する。
図１は境界表示柵の構築説明図、図２は頭部キャップの平面図、図３は頭部キャップが被せられた状態の境界表示柵用支柱の一部拡大断面図、図４は柵を構成する境界表示柵用支柱の一部破断説明図、図５は境界表示柵用支柱が重ね置きされた状態を示す斜視図である。
【実施例】
【００４０】
図１において、図示の境界表示柵用支柱１０Ａは、図中右となりの二点鎖線で示す境界表示柵用支柱１０Ｂの支柱本体１２Ｂの頭頂部１５Ｂに被せられている頭部キャップ１１を有するもので、コーン型に成形された樹脂製の支柱本体１２Ａの頭頂部１５Ａに着脱自在に本来は被せられるものである。
尚、図中の符号１３は、接地盤であり、地面等の設置面に支柱本体１２が安定載置可能となるよう当該支柱本体１２の下部に盤状に一体成形されている。
【００４１】
頭部キャップ１１Ａは、支柱本体１２Ａから離れた他所に適当な長さ延在可能な十分な長さの連携用の帯状体としてのテープ１４Ａで支柱本体１２Ａと繋がれている。
このテープ１４Ａの一端は支柱本体１２Ａの頭頂部１５Ａの適所に連結され、他端（以下、自由端ともいう）側が当該頭部キャップ１１Ａの内側の適所に連結されている。
尚、この実施例では帯状体としてテープを用いているが、テープに限らず、帯状のものであればよい。
【００４２】
図２及び図３に示すとおり、図示の円錐状の頭部キャップ１１Ａの開口縁側には、開口縁から円錐の頂点に向けて切り込まれたテープ１４を通すためのスリット１６が直径方向に相対してスリット１６Ｌと、スリット１６Ｒとして設けられている。
スリット１６Ｌには頭部キャップ１１Ａのテープ１４Ａが、又、スリット１６Ｒには頭部キャップ１１Ｂのテープ１４Ｂが通る（図１参照）。
即ち、スリット１６Ｌには、一端が頭頂部１５Ａに連結され他端が頭部キャップ１１Ａの内側に連結されたテープ１４Ａが、又、スリット１６Ｒには、一端が頭頂部１５Ｂに連結され他端が頭部キャップ１１Ｂの内側に連結されたテープ１４Ｂが通される。
【００４３】
このように、頭部キャップ１１Ａの内側に端が連結された自テープ１４Ａを頭部キャップ１１Ａの内外方向に貫通させる自テープ用スリット１６Ｌと、他の頭部キャップ１１Ｂを持つ支柱本体１２Ｂに一端が連結された他テープ１４Ｂを頭部キャップ１１Ａの内外に貫通させる他テープ用スリット１６Ｒとの２つのスリット１６を設けることで、頭部キャップ１１Ａの端が繋がれていない支柱本体１２Ｂの頭頂部１５Ｂに当該頭部キャップ１１Ａが被せられた状態で、当該頭部キャップ１１Ａの内外方向にテープ１４Ａ．１４Ｂを通すことができる。
尚、図示されていないがスリット１６はテープを挿通させる際の出し入れを容易にするため開口側の開きが大きいＶ字状に形成するとよい。
【００４４】
図４において、境界表示柵用支柱１０のテープ１４は、支柱本体１２の頭頂部１５の外周に巻き付けられることによって支柱本体１２に巻き取られた状態にて保持（維持）される。
このテープ１４が巻き付けられる被巻き付け部分としてのこの例の頭頂部１５は、巻き付けられるテープ１４の巻き付き量に応じて支柱本体１２の外形形状が適度に窪まされた凹部に形成してある。
【００４５】
図４では、支柱本体１２の下部側の外形形状の稜線をそのまま延長して形成されるコーン型の頭頂部の形状、即ち支柱本体１２に頭部キャップ１１が被せられた状態に較べて、一回り小さい相似形のコーン型頭頂部１５となるように凹部が形成されている（図３参照）。
【００４６】
このようにして、支柱本体１２の頭頂部に形成された凹部即ち被巻き付け部分１５は、テープ１４が巻き付けられた状態でも、頭部キャプ１１が着脱自在に被せられて、巻き付け終えたテープ１４全部が頭部キャップ１１内に納められて全面的に覆われる。
尚、薄いテープを帯状体として用いる場合には、テープの巻き付け量にもよるが、頭部キャップの装着脱に支障のない限り、頭頂部にテープ巻き付けようの凹部を必ずしも形成する必要はない。
【００４７】
図５に示すように、上記実施例の境界表示柵用支柱（１０Ａ、１０Ｂ、１０Ｃ・・・）は、各々、当該支柱本体１２のテープ１４の他端が連結された頭部キャップ１１が当該支柱本体１２に被せられた図４に示す状態において、複数の他の境界表示柵用支柱１０Ａ、１０Ｂ、１０Ｃ・・・が少なくとも互いの支柱の一部において互いに着脱自在に嵌合して重ね置き可能なように、この実施例ではコーン型に樹脂成形されたものである。
即ち、より具体的には、各境界表示用支柱１０Ａ，１０Ｂ・・・は、その頭頂部１５、支柱本体１２及び接地盤１３の内部は一体的に空洞化されており、その空洞は接地盤１３の底面側において大きく開放されている。
【００４８】
再び図１において、図は、上記図４の境界表示柵用支柱１０を複数用いて、内外を区画する境界線に沿って図の左から右に適当間隔をおいて適当数１２Ａ、１２Ｂ、１２Ｃ・・・と順次載置し、列状に配設して、各境界表示柵用支柱１０の頭部キャップ１１を隣りの境界表示柵用支柱１０の頭頂部１５に順次被せて、各境界表示柵用支柱１０間にテープ１４を張り渡して境界表示柵を構築したものである。
【００４９】
このように、複数の境界表示柵用支柱１０を適宜列状に配置し、順次、一の境界表示柵用支柱１０から延在されたテープ１４の端の頭部キャップ１１を、頭部キャップ１１が外された隣の境界表示柵用支柱１０の頭頂部に嵌めることによって、テープ１４で一連に連結された複数の境界表示柵用支柱で境界表示柵を、従来に比べて極めて容易且つ迅速に構築することができる。
【００５０】
更に図１において、この場合、各テープ１４Ａ、１４Ｂ・・・は、表裏面の色が異なるテープや光を反射させる反射テープを用い、図示のように適度に縒りを入れた状態で張設すると、テープが風に揺れるたびにテープの張り方向に反射光が走るので、境界表示柵の存在を一段と目立たせることができる。
又、前述のごとく、テープの一面には黒色、他面には黄色を施すと、工事現場の安全表示柵として用いることもできる。
【００５１】
又、上記実施例では、複数の境界表示柵用支柱１０を用いた例で説明したが、勿論、１本の境界表示柵用支柱を用いるだけでもよい。
この場合には、要所に載置された１本の境界表示柵用支柱１０から所要箇所にまで延在させたテープ１４の端即ち自由端側の頭部キャップ１１を他所の適所に連結させることで、１本の境界表示柵用支柱で境界表示柵を構築することができる。
【００５２】
又、上記実施例の境界表示柵用支柱１０はテープ１４の自由端側に頭部キャップ１１を備えていたが、必ずしもこのような頭部キャップ１１は必要でなく、例えば、テープ１４の自由端側に他所に係止し易いように、何らかの工夫（例えばフックや結び目等）が施されただけであっても良い。
又、他所は必ずしも別の境界表示柵用支柱１０である必要はなく、テープ１４の自由端側が係止可能な所でよいことは上記の通りである。
【００５３】
又、境界表示用支柱は１０、この実施例では円錐形のコーン型としているがこれに限らず、例えば、着脱自在に重ね置きできるよう底部が開放された三角錐や四角錐等の中空の錐体形状であってもよい。
又、頭部キャップと当該頭部キャップが着脱自在に被せられる支柱本体の頭頂部とには、両社が容易には離脱できないように係止させる係合部として、例えば相補形状の凹凸部を形成しておくとよい。
【産業上の利用可能性】
【００５４】
本発明は、工事現場の安全表示柵等の境界表示柵用支柱及び境界表示柵として説明したが、これに限らず、通路案内用の柵やそれ用の支柱等として、広く産業上利用することができる。
【図面の簡単な説明】
【００５５】
【図１】境界表示柵の構築説明図である。
【図２】頭部キャップの平面図である。
【図３】頭部キャップが被せられた状態の境界表示柵用支柱の一部拡大断面図である。
【図４】柵を構成する境界表示柵用支柱の一部破断説明図である。
【図５】境界表示柵用支柱が重ね置きされた状態を示す斜視図である。
【符号の説明】
【００５６】
１０、１０Ａ、１０Ｂ  境界表示柵用支柱
１１、１１Ａ、１１Ｂ  頭部キャップ
１２、１２Ａ、１２Ｂ  支柱本体
１４、１４Ａ、１４Ｂ  テープ
１５、１５Ａ、１５Ｂ  頭頂部
１６、１６Ｒ、１６Ｌ  スリット
【図１】
2009024432.tif 000003
【図２】
2009024432.tif 000004
【図３】
2009024432.tif 000005
【図４】
2009024432.tif 000006
【図５】
2009024432.tif 000007